(57)【要約】　　　（修正有）【課題】シャクリ操作の際に十分に竿先が下がり、シャクリ操作が大きくできる船べりシャクリウッドを提供する。【解決手段】船釣りの際にロットと呼ばれる竿を、船べりに固定されたロット・キーパーの本体で回動可能に保持し、ロット・キーパーの前部分で竿の前方を支持し、シャクリ操作のときには、竿から前部分を外して本体を回動し竿を上下させる操作を大きくできるように、１，ロット・キーパーと船べりとの間に装着する木台。２，木台の平面形状を略コの字に形成することで前方に形成され、ロット・キーパーの前部分を深く前に傾斜するすためのロット・キーパー用溝。３，ロット・キーパー用溝に、左右に渡されて取り外し可能に設けられ、前部分を正常位置にとどめるストッパ。以上の構成を有することで操作が容易に行える。【選択図】　　図３
0003098162.tif 000002
【実用新案登録請求の範囲】
【請求項１】
船釣りの際シャクリを操作するには、１度ロットを操作して、ロット・キーパーから外してからシャクリ操作をする、そこで船縁とロット・キーパーの中間に木台に凹みの溝を加工した木台を装置し、溝を活用してロット・キーパー自体を受け止め、先端部位を下げてロットをロット・キーパーに装着した状態で、シャクリ方法が容易に操作得ることです。考案品シャクリ・ウッドは木台に溝を加工し、ロットでのシャクリ操作を容易に得る事が特徴である。
【考案の詳細な説明】
【０００１】
【考案の属する技術分野】
本考案は船釣り際　３　ロット、キーパー（竿受け）装置装着し釣り本来のシャクリ、を容易にする機能装置です。
【０００２】
【従来の技術】
従来３ロッド、キーパーは船べりに固定装着して、２ロット、を止めて、船べりより上部だけのシャクリと巻き取り操作しか出来ない。
【０００３】
【考案が解決しようとする課題】
従来の技術で述べた、３ロット、キーパーはシャクリを操作する時に、船べりより下方向へ２ロット、の先端を下げられる様にして、シャクリ、操作を楽しく容易に出来ると着目したのです。
【０００４】
【考案が解決するための手段】
考案の効果木の台に、凹の溝を作ることにより、６のロット、キーパーの先端部分を傾斜させることが出来るシャクリ、ウツドがシャクリ方法の操作をロット、キーパーに装着した状態で操作が容易に得ることで解決。
【０００５】
考案品シャクリ、ウッドは、比較的小型であり携行するには容易である。
【０００５】
考案品シャクリ、ウッドは、比較的小型であり携行するには容易である。
【０００６】
【考案の実地の形態】
考案品シャクリ・ウッドは船べりにロット・キーパーを装着時に装着した状態のままシャクリが出来る。
【０００７】
【実施例】
考案品シャクリ・ウッドをロット・キーパーと船べりの中間に装着して、ロットをロット・キーパーに固定装着することで、効果が発揮される。
【０００８】
２ロット、に装着した１リールから伸びる１１ラインや釣り用仕掛け等が、５シャクリ・ウッドの、ロット・キーパー４ストッパーを引き、ストッパーを解除の方向へ操作すると、６ロット・キーパー先端部分が、傾斜するので、釣り仕掛け等が速く水中へ落下するように、工夫されている。
【０００９】
【考案の効果】
本考案は上述のとうり構成されているので次々に記載する効果を奏する。１１ライン釣り仕掛け等が目的場所に到着し釣り準備成り、シャクリ方法を操作する場合は、２ロットを３ロット・キーパーに装着した状態で、２ロットを持ち上下方法で操作すると、大きく小さく自由自在にシャクリ操作が可能である。
【００１０】
魚信を待機の６ロット・キーパー先端部分を正常位置の状態に戻すときは、６ロット・キーパー先端部分を上へ持ち上げ５シャクリ・ウッドの４ロット・キーパー、ストッパーを溝７へ差し込み操作すると安定正常位置に装着できる。
【００１１】
再度シャクリ操作を繰り返し操作の時は、０００８項から００１０項の方法を繰り返し操作するとシャクリを、操作する事が出来る。
【００１２】
１３船べりストッパーは、ロット・キーパー装着時にシャクリ・ウッドが、はずれない為に付いてるので、装着時には便利である。
【００１３】
１２ドライバー等差し込み穴は６ｍｍで十字ドライバー等差し込み釣り仕掛け等、ドライバーを利用して整理時に便利である。
【図面の簡単な説明】
【図１】シャクリ・ウッド上面側図である。
【図２】シャクリ操作時シャクリ・ウッド上のロット・キーパー左側面図
【図３】シャクリ操作時のシャクリ・ウッド上面側図である
【図４】ロットを上部持ち上げ時のロット・キーパー左側面時である。
【符号の説明】
【１】リール
【２】ロット竿
【３】ロット・キーパー
【４】ロット・キーパー・ストッパー
【５】シャクリ・ウッド　発案品本体
【６】ロット・キーパー前部分
【７】ストッパー用溝
【８】ロット・キーパー受け
【９】ロット・キーパー用溝
【１０】船べり
【１１】ライン
【１２】ドライバー差し込み穴
【１３】船べりスットパー
【図１】
0003098162.tif 000003
【図２】
0003098162.tif 000004
【図３】
0003098162.tif 000005
【図４】
0003098162.tif 000006
【手続補正書】
【提出日】平成15年7月22日(2003.7.22)
【手続補正１】
【補正対象書類名】明細書
【補正対象項目名】全文
【補正方法】変更
【補正の内容】
【考案の詳細な説明】
【実用新案登録請求の範囲】
【請求項１】船釣りの際にロットと呼ばれる竿を、船べりに固定されたロット・キーパーの本体で回動可能に保持し、前記ロット・キーパーの前部分で竿の前方を支持し、シャクリ操作のときには、前記竿から前記前部分を外して前記本体を回動し竿を上下させる操作を大きくできるように、
１　前記ロット・キーパーと前記船べりとの間に装着する木台。
２　前記木台の平面形状を略コの字に形成することで前方に形成され、前記ロット・キーパーの前部分を深く前に傾斜するためのロット・キーパー用溝。
３　前記ロット・キーパー用溝に、左右に渡されて取り外し可能に設けられ、前記前部分を正常位置にとどめるストッパ。
以上の構成を有することを特徴とする船べりシャクリウッド。
【考案の詳細な説明】
【０００１】
【考案の属する技術分野】
本考案は、船釣りの際に竿を保持し上下させるシャクリ操作が可能なロット・キーパーに関し、詳しくは、このロット・キーパーと船べりとの間に装着して、シャクリ操作を大きくできるようにするための装置である。
【０００２】
【従来の技術】
船釣りの際には、ロットと呼ばれる竿を、船べりに固定されたロット・キーパー、すなわち竿受けで保持する。ロット・キーパーは、保持した状態で、竿を上下させ魚を誘うシャクリ操作ができる。
すなわち、竿の後端をロット・キーパーの本体で回動可能な部分に保持し、ロット・キーパーの前部分の先端で、竿のより前方を支持する。シャクリ操作のときには、前記竿から前記前部分を外して前に傾斜し、あるいは（ロット・キーパーの種類によっては）傾斜しないで、本体の回動可能な部分を回動させることで竿の先を上下させ、これによりシャクリ操作を行う。
【０００３】
【考案が解決しようとする課題】
従来のロット・キーパーでは、ロット・キーパー本体の回動可能部分を回動して竿の先を下げるときに、ロット・キーパーの前部分が邪魔になって、十分に竿先が下がらず、シャクリ操作が大きく取れない。ロット・キーパーの前部分は、船べりによって位置が決まってしまい、前に傾斜する種類であっても船べりの表面に接触して、それ以上は傾斜しないものであった。
【０００４】
この考案は、以上の課題を解決するためになされたもので、シャクリ操作の際に十分に竿先が下がり、シャクリ操作が大きくできる船べりシャクリウッドを提供することを目的とする。
【０００５】
【課題を解決するための手段】
この考案は、以上の課題を解決するために、船釣りの際にロットと呼ばれる竿を、船べりに固定されたロット・キーパーの本体で回動可能に保持し、前記ロット・キーパーの前部分で竿の前方を支持し、シャクリ操作のときには、前記竿から前記前部分を外して前記本体を回動し竿を上下させる操作を大きくできるように、
１　前記ロット・キーパーと前記船べりとの間に装着する木台。
２　前記木台の平面形状を略コの字に形成することで前方に形成され、前記ロット・キーパーの前部分を深く前に傾斜するすためのロット・キーパー用溝。
３　前記ロット・キーパー用溝に、左右に渡されて取り外し可能に設けられ、前記前部分を正常位置にとどめるストッパ。
以上の構成を有することを特徴とする船べりシャクリウッドである。
【０００６】
【考案の実施の形態】
ロット・キーパー３は、一体に備えられるクランパーにより、通常は船べり１０の内側のひさし状部分へ取り付けられる。
竿２の後端をロット・キーパー３の本体で回動可能な部分に保持し、ロット・キーパー３の前部分６の先端で、竿２のより前方を支持する。シャクリ操作のときには、前部分６から竿３を外し（図４参照）、本体の回動可能な部分を回動させることで竿の先を上下させ、これによりシャクリ操作を行う。
【０００７】
このようなロット・キーパー３と船べり１０との間に、この実施形態に係る船べりシャクリウッド５（以下、単にシャクリウッドという）を装着する。シャクリウッド５は、全体が前記装着の可能な木台からなる。この木台の平面形状を加工し横向きの略コの字状に形成する（図１、図３）ことで、前方に、ロット・キーパー用溝９が形成される。この溝９に、ロット・キーパー３の前部分６を受け入れ、深く前に傾斜させることができる。
更に、前記略コの字状を構成する中央の辺部において、この中央辺部の中央は深い溝になっており、その深い溝の両側は前方へ下がって傾斜し、この傾斜面がロット・キーパー受け８を形成する。
【０００８】
図３に示すように、細長い金具からなるストッパ４の長手方向に形成されるスリットに貫通するネジが木台のコの字状の一方の端部に捩じ込まれることで、ストッパ４が設けられる。木台のコの字状の一方の端部には、ストッパ用溝７が形成され、細長いストッパ４の一端が嵌合しうる。
このようにしてストッパ４は、ロット・キーパー用溝９の左右に渡されて取り外し可能に設けられ、渡された状態では、ロット・キーパー３の前部分６を支え正常な位置にとどめる。ストッパ４が外され解除されると、ロット・キーパー３の前部分６が深く前に傾斜する。
【０００９】
また、木台の後方の縁には、船べりストッパ１３が設けられ、船べり１０の内側に係止して、装着時に便利である。
更に、木台の側面には、差し込み穴１２が形成され、ドライバーなどを差し込み、このドライバーにラインや釣り用の仕掛け等を引っ掛けるなどできるので、仕掛けなどを整理するときに便利である。
【００１０】
（作用効果）
釣り船が釣りの目的場所に到着し、竿２をロット・キーパー３保持し、竿２に装着したリール１から伸びるライン１１や釣り用の仕掛け等が海側へ位置する状態で、シャクリウッド５のストッパ４を引いて解除すると、ストッパ４による支えを失ったロット・キーパー３の前部分６が深く前に傾斜し、邪魔にならず、十分に竿２の先が下がり、シャクリ操作の角度が大きく小さく自由に取れる。
また、竿２の先が下が下がることで、ラインや釣り用の仕掛け等が速く海中へ落下することができる。
魚信の待機中には、シャクリ操作を行わないので、竿２とともにロット・キーパー３の前部分６をロット・キーパー用溝９から持ち上げ、ロット・キーパー用溝９にストッパ４を渡し取り付ける。ストッパ４に支えられて、ロット・キーパー３の前部分６は正常位置にとどまる。
【００１１】
【考案の効果】
ロット・キーパーと船べりとの間にシャクリウッドを装着した状態で、シャクリ操作の際には、ロット・キーパー用溝からストッパを外すことで、ロット・キーパーの前部分はロット・キーパー用溝に受け入れられ、深く前に傾斜するので、ロット・キーパーの前部分が邪魔にならずに済み、十分に竿先が下がり、シャクリ操作が大きくできる。
【図面の簡単な説明】
【図１】この発明の一実施形態に係る船べりシャクリウッドを後方の上から見た斜視図である。
【図２】図１の船べりシャクリウッドを、船べりとロット・キーパーとの間に装着し、ロット・キーパーに竿を保持させて、竿先を十分に下げることができ、図４とあわせて、シャクリ操作の角度が大きく取れることを示す側面図である。
【図３】図１の船べりシャクリウッドのストッパを外した上体を示す平面図である。
【図４】図２における竿先を上げた状態を示す図である。
【符号の説明】
１　リール
２　竿（ロット）
３　ロット・キーパー
４　ストッパ
５　シャクリウッド
６　ロット・キーパーの前部分
７　ストッパ用溝
８　ロット・キーパー受け
９　ロット・キーパー用溝
１０　船べり
１１　ライン
１２　差し込み穴
１３船べりストッパ
【手続補正２】
【補正対象書類名】図面
【補正対象項目名】全図
【補正方法】変更
【補正の内容】
【図１】
0003098162.tif 000007
【図２】
0003098162.tif 000008
【図３】
0003098162.tif 000009
【図４】
0003098162.tif 000010